(57)【要約】      （修正有）【課題】外出時のトイレにおいて、携帯に便利な空気圧力を利用したお尻洗浄用シャワーを提供する。【解決手段】円筒状のプラスチック容器の下部に空気ポンプを取り付ける。上部には、水流調整可能なスイッチ３と、伸縮ノズル４を設ける。空気ポンプから、プラスチック容器に空気を送り込み空気圧力を加え、空気圧力により、プラスチック容器内の水に水圧を発生させる。伸縮ノズル４を伸ばし、水流調整スイッチ３を開放することにより、ノズル先端から水を噴射させお尻を洗浄する。【選択図】図３−２
0003162515.tif 000002
【実用新案登録請求の範囲】
【請求項１】
専用のプラスチックボトル（１）に水を入れ、ボトル下部の空気ポンプ（２）で空気圧力を加える、空気圧力でボトル内の水に水圧を加え、スイッチ（３）を開放することにより、ボトル上部の伸縮ノズル（４）より水を噴射し、お尻を洗浄する携帯用お尻洗浄器である。
【考案の詳細な説明】
【考案の詳細な説明】
【技術分野】
【０００１】この考案は、プラスチックボトル下部に空気ポンプを設け、上部ノズルより水を噴出させてお尻を洗浄する携帯用お尻洗浄器に関するものである。
【背景技術】
【０００２】従来、携帯用お尻洗浄器は手で容器に圧力を加えて水を噴出するもの、乾電池でモーターを駆動し水を噴出するもの、ペットボトルに空気圧を加えて水を噴出するものであった。
【考案が解決しようとする課題】
【０００３】従来の携帯用お尻洗浄器は次のような欠点があった。
（イ）手動式では十分な水圧を加えることができず洗浄力が足りなかった。
（ロ）モーターを駆動では乾電池やモーターの重量で携帯に不向きであった。
（ハ）ペットボトル使用の加圧式では、傷のない空きペットボトルの携帯が必要であり、その構成部品の空気ポンプ部分や洗浄部分等が外部に露出しているため破損の恐れがあった。
【問題を解決するための手段】
【０００４】専用のボトル（１）の下部に空気ポンプ（２）を設け、ボトル上部には伸縮ノズル（４）を設けた、そして、水流開放スイッチ（３）と水圧調整スイッチ（７）をボトル内に組み込み、噴出させる水の水圧を調整可能とする構造とした。
本考案は、以上のような構成により携帯性に優れたお尻洗浄機である。
【考案を実施するための形態】
【０００５】以下、本案の実施の形態について説明する。
（イ）専用のボトル（１）の下部に空気ポンプ（２）を設ける。
（ロ）ボトル上部には伸縮ノズル（４）を設け、水流開放スイッチ（３）と水圧調整スイッチ（７）を通りボトル内の水を噴出させる。
（ハ）空気弁（５）と水流弁（６）を設けて空気と水の逆流を防ぎ加圧状態を維持する。
（ニ）水圧調整スイッチ（７）は回転式で水圧を調整し水流をノズルに導く。
伸縮ノズルを伸ばし、水流開放スイッチ（３）を開放するとノズル先端から水を噴出し、お尻を洗浄する構造とした。
【考案の効果】
【０００６】（イ）携帯用としての効果
▲１▼ハンドバックに入る大きさ、小型軽量で携帯性に優れている。
▲２▼機能を一体化し突起物がないため破損の危険が少ない。
（ロ）資源節約の効果
▲１▼トイレットペーパー等、紙の使用量が少ない。
▲２▼適切な水圧で水の使用量が少ない。
▲３▼乾電池は使用しない。
（ハ）衛生環境の向上効果
▲１▼アジア諸国では水を流し左手でお尻を洗う、本お尻洗浄器では直接肛門に手を触れず衛生的である。
▲２▼老人介護や赤ちゃんのお尻洗浄に便利である。
▲３▼手の不自由な人、痔病のある人に利用効果がある。
【図面の簡単な説明】
【図１】  本考案の斜視図ある。
【図２】  本考案の断面図である。
【図３−１】  本考案の空気ポンプ図（加圧時）である。
【図３−２】  本考案のノズル引き出し時の図である。
【図４】  本考案洗浄器図である。
【符号の説明】（１）はボトル容器、（２）は空気ポンプ、（３）は水流スイッチ、（４）はノズル、（５）は空気弁、（６）水流開閉弁、（７）水圧調整スイッチ
【図１】
0003162515.tif 000003
【図２】
0003162515.tif 000004
【図３−１】
0003162515.tif 000005
【図３−２】
0003162515.tif 000006
【図４】
0003162515.tif 000007
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
円柱型プラスチック容器１に空気ポンプ５を組み込む、容器内空気を蓄圧して容器内の水を加圧する、加圧された水はスイッチ７を開放することで噴出ノズル４から噴射される空気ポンプ内蔵蓄圧式携帯お尻洗浄器。
【請求項２】
専用の円柱型プラスチック容器１の底辺部に空気ポンプ５を組込む、ポンプの手押し部分を底辺として空気ポンプ筒部は容器１本体内部に収める、噴射ノズル４は容器１上部に収納できる構造とし携帯性を高めた容器一体型の空気ポンプ内蔵蓄圧式携帯お尻洗浄器。
【手続補正２】
【補正対象書類名】明細書
【補正対象項目名】全文
【補正方法】変更
【補正の内容】
【考案の詳細な説明】
【考案の詳細な説明】
【技術分野】
【０００１】この考案は専用プラスチック容器に空気ポンプを取り付けて空気圧を加え容器内の水を噴射しお尻を洗浄する空気ポンプ内蔵蓄圧式携帯お尻洗浄器に関するものである。
【背景技術】
【０００２】従来、携帯用お尻洗浄器は手圧力によるものであった、蓄圧式ではポンプ部分やノズル部分が水容器と分離していた為携帯性に不向きであった。
【考案が解決しようとする課題】
【０００３】従来の携帯用お尻洗浄器は次のような欠点があった。
（イ）手圧力式では十分な水圧を得ることが出来ない。
（ロ）蓄圧式では空気ポンプやノズル部分が容器本体と分離している為携帯性がない。
【問題を解決するための手段】
【０００４】専用の容器１の内部に空気ポンプ５を組み込み、噴射ノズル４は伸縮出来る様に内部に納めた。
【考案を実施するための形態】
【０００５】以下、本案の実施の形態にについて説明する。
（イ）専用容器（１）の下部に空気ポンプ（５）を組み込む、
（ロ）専用容器（２）の上部に伸縮ノズル（４）を組み込む。
（ハ）水流は水流開放スイッチ（３）と水圧調整スイッチ（７）を開放し伸縮ノズル（        ４）より噴射する。
【考案の効果】
【０００６】  （イ）携帯用としての効果
▲１▼ハンドバックに入る大きさで携帯性に優れている・
▲２▼空気ポンプ部分とノズル部分が専用容器内部に納まる為に携帯時の破損がない      。
（ロ）蓄圧式による効果
▲１▼空気を蓄圧することで十分な水圧を得ることが出来る。
▲２▼水容器が小さく出来る。
（ハ）資源節約効果
▲１▼トイレットペーパー等の紙の使用量が少ない。
▲２▼水の使用量が少ない。
（ニ）衛生環境の向上
▲１▼東南アジア等、貧困国では左手でお尻を洗う、本蓄圧式お尻洗浄機では直接肛      門に手を触れず衛生的である。
▲２▼老人介護や赤ちゃん、手の不自由な人に衛生的である。
【手続補正書】
【提出日】平成22年5月2日(2010.5.2)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案の詳細な説明】
【技術分野】
【０００１】この考案は専用プラスチック容器に空気ポンプを取り付けて空気圧を加え容器内の水を噴射しお尻を洗浄する空気ポンプ内蔵蓄圧式携帯お尻洗浄器に関するものである。
【背景技術】
【０００２】従来、携帯用お尻洗浄器は手圧力によるものであった、蓄圧式ではポンプ部分やノズル部分が水容器と分離していた為携帯性に不向きであった。
【考案が解決しようとする課題】
【０００３】従来の携帯用お尻洗浄器は次のような欠点があった。
（イ）手圧力式では十分な水圧を得ることが出来ない。
（ロ）蓄圧式では空気ポンプやノズル部分が容器本体と分離している為携帯性がない。
【問題を解決するための手段】
【０００４】専用の容器１の内部に空気ポンプ５を組み込み、噴射ノズル４は伸縮出来る様に内部に納めた。
【考案を実施するための形態】
【０００５】以下、本案の実施の形態にについて説明する。
（イ）専用容器（１）の下部に空気ポンプ（５）を組み込む、
（ロ）専用容器（１）の上部に伸縮ノズル（４）を組み込む。
（ハ）水流は水流開放スイッチ（３）を押して水流弁（６）を開放し、水圧調整スイッチ（７）で水圧を調整し伸縮ノズル（４）より噴射する。
【考案の効果】
【０００６】（イ）携帯用としての効果
▲１▼ハンドバックに入る大きさで携帯性に優れている
▲２▼空気ポンプ部分とノズル部分が専用容器内部に納まる為に携帯時の破損がない。
（ロ）蓄圧式による効果
▲１▼空気を蓄圧することで十分な水圧を得ることが出来る。
▲２▼水容器が小さく出来る。
（ハ）資源節約効果
▲１▼トイレットペーパー等の紙の使用量が少ない。
▲２▼水の使用量が少ない。
（ニ）衛生環境の向上
▲１▼東南アジア等、貧困国では左手でお尻を洗う、本蓄圧式お尻洗浄機では直接肛門に手を触れず衛生的である。
▲２▼老人介護や赤ちゃん、手の不自由な人に衛生的である。
【図面の簡単な説明】
【図１】本考案の斜視図である。空気ポンプ、伸縮ノズルを容器内部に納めた携帯時の図。
【図２】本考案の断面図である。１容器、２空気ポンプ筒、３水流開放スイッチ、４伸縮ノズル、５空気ポンプ、６水流弁、７水圧を調整スイッチ
【図３−１】本考案の空気ポンプ図（加圧時）である。８空気ポンプロック用フック、
【図３−２】本考案のノズル引き出し時の図である。
【図４】本考案のノズルへの水流図である。